(57)【要約】【課題】  ヘム部が波形に大きくカーブした生地を得ることのできる伸縮性経編地の提供。【解決手段】  非弾性糸７で編成された経編の地組織に弾性糸８，９が挿入または編成されている伸縮性経編地であって、製品になる生地部２と捨て編地部３とを緯方向に隣接して備え、生地部と捨て編地部との境界部４には、生地部と捨て編地部を分離するための抜き糸１２と、ほつれを防止するためのヘム部１６を有し、捨て編地部３には、経方向と緯方向にそれぞれ２つ以上隣接して形成した複数の穴部５，５，…で構成された網状部６を有する。【選択図】      図５
2014005582.tif 000002
【特許請求の範囲】
【請求項１】
非弾性糸で編成された経編の地組織に弾性糸が挿入または編成されている伸縮性経編地であって、製品になる生地部と捨て編地部とを緯方向に隣接して備え、生地部と捨て編地部との境界部には、生地部と捨て編地部を分離するための抜き糸と、ほつれを防止するためのヘム部を有し、捨て編地部には、経方向と緯方向にそれぞれ２つ以上隣接して形成した複数の穴部で構成された網状部を有することを特徴とする伸縮性経編地。
【請求項２】
生地部は、伸縮力が他の部分よりも強いパワーアップ部をヘム部に沿って形成してあることを特徴とする請求項１記載の伸縮性経編地。
【請求項３】
請求項１又は２記載の伸縮性経編地を熱セットし、抜き糸を抜くことで捨て編地部を分離して得たものであって、波形にカーブしたヘム部を有することを特徴とする伸縮性経編地。
【請求項４】
ヘム部の波の繰り返し長さが１０ｃｍ以上であることを特徴とする請求項３記載の伸縮性経編地。
【請求項５】
波形にカーブしたヘム部に沿って伸縮力が他の部分よりも強いパワーアップ部を設けてあることを特徴とする請求項３又は４記載の伸縮性経編地。
【請求項６】
請求項３，４又は５記載の伸縮性経編地を用いていることを特徴とする衣類。
【発明の詳細な説明】
【技術分野】
【０００１】
本発明は、ヘム部が波形に大きくカーブした生地を得ることのできる伸縮性経編地と、これを用いた衣類に関する。
【背景技術】
【０００２】
ガードルやボディスーツ等の女性用の下着には、伸縮性経編地が用いられている。伸縮性経編地は、非弾性糸よりなる地編組織に弾性糸を挿入ないし編込むことで生地全体に伸縮性をもたせたものである。
このような伸縮性経編地においては、生地に編み込んだ抜き糸を抜くことで複数の伸縮性経編地に分離し、分離した各編地の縁部にヘム部を形成して糸がほつれないようにすることが知られている（例えば、特許文献１参照）。また伸縮性経編地に、伸縮力が他の部分よりも強いパワーアップ部を帯状に形成することも知られている（例えば、特許文献２参照）。ヘム部及びパワーアップ部は、経方向に沿ってまっすぐ形成されている。
しかし女性の体は胸部や臀部に丸みがあって、ヘム部やパワーアップ部がまっすぐであると、ヘム部やパワーアップ部を体の曲線に合わせて配置することができず、不都合であった。
【０００３】
特許文献３には、捨て編地部内に穴部を設けることにより、分離した編み生地のヘム部に波形状のスカラップを形成することが記載されている。しかし特許文献３記載のものは、捨て編地部内に設ける穴部が経方向に間隔をおいて配置されており、ヘム部は一つ一つの穴部に沿うように小さい波が連なったような形にしかならず、大きな波形にカーブさせるのは困難であり、意匠的な効果しかなかった。
【先行技術文献】
【特許文献】
【０００４】
【特許文献１】特許第３４８８９４７号公報
【特許文献２】特開２００３−１３３４７号公報
【特許文献３】特開２００６−２８７０１号公報
【発明の概要】
【発明が解決しようとする課題】
【０００５】
本発明は以上に述べた実情に鑑み、ヘム部が波形に大きくカーブした生地を得ることのできる伸縮性経編地と、これを使用した衣類の提供を目的とする。
【課題を解決するための手段】
【０００６】
上記の課題を達成するために請求項１記載の発明による伸縮性経編地は、非弾性糸で編成された経編の地組織に弾性糸が挿入または編成されている伸縮性経編地であって、製品になる生地部と捨て編地部とを緯方向に隣接して備え、生地部と捨て編地部との境界部には、生地部と捨て編地部を分離するための抜き糸と、ほつれを防止するためのヘム部を有し、捨て編地部には、経方向と緯方向にそれぞれ２つ以上隣接して形成した複数の穴部で構成された網状部を有することを特徴とする。
【０００７】
請求項２記載の発明による伸縮性経編地は、請求項１記載の発明の構成に加え、生地部は、伸縮力が他の部分よりも強いパワーアップ部をヘム部に沿って形成してあることを特徴とする。
【０００８】
請求項３記載の発明による伸縮性経編地は、請求項１又は２記載の伸縮性経編地を熱セットし、抜き糸を抜くことで捨て編地部を分離して得たものであって、波形にカーブしたヘム部を有することを特徴とする。
【０００９】
請求項４記載の発明による伸縮性経編地は、請求項３記載の発明の構成に加え、ヘム部の波の繰り返し長さが１０ｃｍ以上であることを特徴とする。
【００１０】
請求項５記載の発明による伸縮性経編地は、請求項３又は４記載の発明の構成に加え、波形にカーブしたヘム部に沿って伸縮力が他の部分よりも強いパワーアップ部を設けてあることを特徴とする。
【００１１】
請求項６記載の発明による衣類は、請求項３，４又は５記載の伸縮性経編地を用いていることを特徴とする。
【発明の効果】
【００１２】
請求項１記載の発明による伸縮性経編地は、製品になる生地部と捨て編地部を緯方向に隣接して備え、捨て編地部に経方向と緯方向にそれぞれ２つ以上隣接して形成した複数の穴部で構成された網状部を有しているため、緯方向に引き伸ばすと網状部が大きく開き、それに伴って生地部と捨て編地部との境界部が波形に大きくカーブした状態に変形する。これを熱セットし、抜き糸を抜いて捨て編地部を分離することで、ヘム部が波形に大きくカーブした生地を得ることができる。
【００１３】
請求項２記載の発明による伸縮性経編地は、生地部に伸縮力が他の部分よりも強いパワーアップ部をヘム部に沿って形成してあることで、捨て編地部を分離するとヘム部に沿ってパワーアップ部も波形に大きくカーブした形で設けることができる。
【００１４】
請求項３記載の発明による伸縮性経編地は、請求項１又は２記載の伸縮性経編地を用いることで、ヘム部を波形に大きくカーブさせて形成できる。
【００１５】
請求項４記載の発明による伸縮性経編地は、ヘム部の波の繰り返し長さが１０ｃｍ以上であるため、ヘム部を体の曲線に沿うように大きくカーブさせることができる。
【００１６】
さらに請求項５記載の発明による伸縮性経編地は、波形にカーブしたヘム部に沿って伸縮力が他の部分よりも強いパワーアップ部を設けてあるため、フィット性や機能性を高められる。
【００１７】
請求項６記載の発明による衣類は、請求項３，４又は５記載の伸縮性経編地を用いることで、ヘム部を体の曲線に沿わせて大きくカーブして設けることができ、これにより体型補正機能を向上させたり動きやすさを向上させたりすることができる。
【図面の簡単な説明】
【００１８】
【図１】本発明の伸縮性経編地の一実施形態を模式的に示す平面図である。
【図２】同伸縮性経編地の組織図である。
【図３】同伸縮性経編地の生地部と捨て編地部との境界部を拡大して示す組織図である。
【図４】同伸縮性経編地の組織を糸ごとに分解して示す組織図である。
【図５】図１に示す伸縮性経編地を緯方向に引き伸ばした状態を示す平面図である。
【図６】本発明の伸縮性経編地を用いて作成した衣類の一例を示す図である。
【発明を実施するための形態】
【００１９】
以下、本発明の実施の形態を図面に基づいて説明する。図１は本発明の伸縮性経編地１の一実施形態を模式的に示す平面図であり、図２は同伸縮性経編地１の組織図であり、図３はそのうちの生地部２と捨て編地部３との境界部４を拡大して示す組織図である。図４は、同伸縮性経編地１を構成する糸の組織を糸ごとに分解して示す組織図である。
本伸縮性経編地１は、図１に示すように、製品になる生地部２と捨て編地部３とを緯方向に隣接して備え、捨て編地部３には経方向及び緯方向に隣接して形成した多数のスリット状の穴部５，５，…で構成された格子状の網状部６が設けてある。編機は、カールマイヤー社製のＭＲＳ２６Ｅを用いた。
穴部５は、緯方向に複数列並べて設けてあり、中央の列には穴部５が６つ経方向に並べて設けてあり、中央から２番目の列には中央の列の穴部５と経方向に位置をずらして穴部５が５つ経方向に並べて設けてあり、中央から３番目の列には２番目の列の穴部５と経方向に位置をずらして穴部５が４つ経方向に並べて設けてあり、中央から４番目の列には３番目の列の穴部５と経方向に位置をずらして穴部５が３つ経方向に並べて設けてあり、中央から５番目の列には４番目の列の穴部５と経方向に位置をずらして穴部５が２つ経方向に並べて設けてあり、中央から６番目の列には５番目の列の穴部５と経方向に位置をずらして穴部５が１つ設けてある。すなわち穴部５は、千鳥状で且つ菱形状の配列で設けてある。網状部６は、経方向に間隔をおいて複数設けてある。
【００２０】
生地部２は、図２，３に示すように、ナイロンやポリエステル等の非弾性糸７が、図４（ａ）に示す組織で全ウエールにわたって編成されて地組織を構成し、その地組織にポリウレタン等の弾性糸８，９が、それぞれ図４（ｂ），（ｃ）に示す組織で挿入されて、全体に伸縮性をもたせてある。図４（ｂ）の組織の弾性糸８は、主として経方向の伸縮性に寄与し、図４（ｃ）の組織の弾性糸９は、主として緯方向の伸縮性に寄与する。弾性糸８は、生地部２の全ウエールに挿入されているが、図２に示すように、生地部２の縁側の５本の弾性糸８は他のものよりも太いものを使用しており、これにより生地部２の縁部には伸縮力が他の部分よりも強いパワーアップ部１５が帯状に形成してある。また、生地部２の縁には、非弾性糸１０が図４（ｄ）に示す組織で２ウエール編みこんであり、この非弾性糸１０と後述する抜き糸１２に絡むように、弾性糸１１が図４（ｅ）に示す組織で編みこんである。この非弾性糸１０と弾性糸１１とにより、ヘム部１６を構成している。
捨て編地部３は、図２，３に示すように、６〜７ウエールごとの帯状部３ａ，３ａ，…に分離するような状態で編成されており、各帯状部３ａは生地部２と同じように図４（ａ）に示す組織の非弾性糸７と、図４（ｂ），（ｃ）に示す組織の弾性糸８，９で構成され、縁には図４（ｄ）に示す組織の非弾性糸１０が編みこんである。境界部４側の縁には、図４（ｅ）に示す組織の弾性糸１１が、抜き糸１２と絡むように編みこんである。複数の帯状部３ａ，３ａ，…は、図４（ｆ）に示す組織の非弾性糸１３によりところどころ繋いであり、繋がってないところが穴部５になっている。
生地部２と捨て編地部３との境界部４には、図２，３に示すように、非弾性糸よりなる抜き糸１２が図４（ｄ）に示す組織で編みこんであり、抜き糸１２は生地部２と捨て編地部３の縁に編みこんだ弾性糸１１と絡んでいる。よって、抜き糸１２を抜くと生地部２と捨て編地部３とが分離し、弾性糸１１の抜き糸１２と絡んでいた部分は縮んで生地部２と捨て編地部３の縁にくっつく。
【００２１】
以上のように編成された伸縮性経編地１は、緯方向に引き伸ばすと、図５に示すように、捨て編地部３に設けてある網状部６が大きく開き、それに伴って生地部２と捨て編地部３との境界部４が波形に大きくカーブした状態に変形する。この状態で熱セットし、抜き糸１２を抜いて生地部２から捨て編地部３を分離することで、ヘム部１６が波形に大きくカーブした生地を得ることができる。ヘム部１６の波のカーブの大きさは、網状部６の設け方次第で適宜に設定することができ、波の繰り返し長さＬが１０ｃｍ以上の大きなカーブとすることができる。図示のものは、波の繰り返し長さＬが約３０ｃｍとなっている。またこうして得られた生地は、ヘム部１６に沿ってパワーアップ部１５も同じように波形にカーブした形で帯状に形成される。
なお、伸縮性経編地１を緯方向に引き伸ばすことは、必ずしも必要ではない。編組織によっては、特別緯方向に引き伸ばさないで熱セットしても、網状部６が設けてある範囲と網状部６が設けてない範囲とで熱セット時に緯方向に縮む量が違うことにより、ヘム部１６を波型にカーブさせることができる。
【００２２】
図６は、伸縮性経編地１から上述のようにして得られたヘム部１６が波形に大きくカーブした生地１４を用いて作成した衣類の一例であって、女性用のガードルに適用した例を示している。このガードルは、足を出す開口縁部がヘム部１６になっており、体の前側に波の凹部１６ａを配置し、体の後側に波の凸部１６ｂが配置されている。なお図中の点線２０は、ヘム部がまっすぐな生地を使用した場合を示している。このように本ガードルは、前側の足の付け根部が円弧状にえぐったような形になっているため、足を上げるのが楽になり、またお尻側の縁が円弧状に膨らんでいるため、お尻を包み込んで持ち上げる効果が得られる。また、縁部にヘム部１６が形成されているため、糸がほつれてくることもないし、さらにヘム部１６に沿ってパワーアップ部１５が設けてあるため、フィット感や体型補正機能が強化される。パワーアップ１５は、生地に弾性糸を挿入して形成してあるため、別の伸縮性の生地を縫い付けて形成した場合のように、ガードルの上にはいたパンツ等の衣類に段差が表れない。
このように、本発明の伸縮性経編地１を用いることにより、ヘム部１６を体の曲線に沿うように大きくカーブさせることが可能となり、これにより体型補正機能を向上させたり、運動性や機能性を高めたりする効果が得られる。
【００２３】
本発明は以上に述べた実施形態に限定されない。ヘム部１６のカーブの形状、大きさは、目的に応じて適宜設定することができる。生地部と捨て編地部を構成する非弾性糸及び弾性糸の材質、組織は、適宜変更することができる。本発明の伸縮性経編地の編成に用いられる編機は特に限定されない。また、本発明の伸縮性経編地を用いた衣類は、ガードルに限らず、ブラジャーやショーツ、ボディスーツ等の下着、スポーツウェア、水着等、あらゆる衣類に適用することができる。
【符号の説明】
【００２４】
１  伸縮性経編地
２  生地部
３  捨て編地部
４  境界部
５  穴部
６  網状部
７，１０，１３  非弾性糸
８，９，１１  弾性糸
１２  抜き糸
１４  生地
１５  パワーアップ部
１６  ヘム部
【図１】
2014005582.tif 000003
【図２】
2014005582.tif 000004
【図３】
2014005582.tif 000005
【図４】
2014005582.tif 000006
【図５】
2014005582.tif 000007
【図６】
2014005582.tif 000008